(57)【要約】【課題】本発明は、電動工具で照明を使用する際、先端工具の影が邪魔にならないようにして、作業性を向上させることを目的とする。【解決手段】本発明に係る電動工具は、スピンドル１４を回転可能に支持するハウジング１０ｈに対して取付け、取外し可能に構成された先端部材２１，２５を備える電動工具であって、先端部材２１，２５は、前方を指向する照明手段３２と、その照明手段３２を点灯させる電気回路とを備え、ハウジング１０ｈに対して円周方向に位置変更可能に構成されている。【選択図】図１
2009214238.tif 000002
【特許請求の範囲】
【請求項１】
スピンドルと共に回転するチャック、あるいは前記スピンドルを回転可能に支持するハウジングに対して取付け、取外し可能に構成された先端部材を備える電動工具であって、
前記先端部材は、前方を指向する照明手段と、その照明手段を点灯させる電気回路とを備え、前記ハウジングに対して円周方向に位置変更可能に構成されていることを特徴とする電動工具。
【請求項２】
請求項１に記載された電動工具であって、
前記先端部材は、
軸方向に移動可能な状態で前記ハウジングに装着されており、先端工具を周方向から覆う筒体と、
前記ハウジングに対して軸方向定位置で軸心回りに回転可能に構成されて、ネジ作用により前記筒体を軸方向に移動させる操作リングとを有し、
前記操作リングに前記照明手段及び電気回路とが装着されていることを特徴とする電動工具。
【請求項３】
請求項２に記載された電動工具であって、
前記操作リングには、その操作リングに対して軸心回りに回転可能に構成されたリング状ケースが取付けられており、前記リング状ケースに前記照明手段、及び電気回路が収納されていることを特徴とする電動工具。
【請求項４】
請求項１に記載された電動工具であって、
前記チャックが前記ハウジングから前方に突出した状態で配置されており、そのチャックの外周に前記先端部材が取付けられる構成であることを特徴とする電動工具。
【発明の詳細な説明】
【技術分野】
【０００１】
本発明は、手持ち状態でネジ締めや穴空け等の作業が可能な電動工具に関する。
【背景技術】
【０００２】
上記した電動工具では、暗い場所における作業性を考慮して照明を付加したものが提案されている。
特許文献１に記載の電動工具１００は、図８に示すように、ハウジング１０１の上部にＬＥＤによる照明１０３が設けられている。このため、作業者は、自分の目線よりも低い位置では、先端工具１０５（ドライバ）の上面やネジＷ等を良好に目視できるため、作業性が向上する。
【０００３】
【特許文献１】特開２００２−３０７３２６号公報
【発明の開示】
【発明が解決しようとする課題】
【０００４】
しかし、上記したように、ハウジング１０１の上部に照明１０３を設ける構成では、図８に示すように、先端工具１０５の下面側が影となるため、目線よりも高い位置のネジ締め等を行なう場合には、影が邪魔になって作業性が低下する。
【０００５】
本発明は、上記問題点を解決するためになされたものであり、本発明が解決しようとする課題は、電動工具で照明を使用する際、先端工具の影が邪魔にならないようにして、作業性を向上させることである。
【課題を解決するための手段】
【０００６】
上記した課題は、各請求項の発明によって解決される。
請求項１の発明は、スピンドルと共に回転するチャック、あるいは前記スピンドルを回転可能に支持するハウジングに対して取付け、取外し可能に構成された先端部材を備える電動工具であって、前記先端部材は、前方を指向する照明手段と、その照明手段を点灯させる電気回路とを備え、前記ハウジングに対して円周方向に位置変更可能に構成されていることを特徴とする。
【０００７】
本発明によると、先端部材には前方を指向する照明手段と、その照明手段を点灯させる電気回路とが設けられている。そして、先端部材はハウジングに対して円周方向に位置変更可能に構成されている。このため、例えば、先端部材がハウジングに取付けられる構成の場合、その先端部材を、一旦、ハウジングから取外し、その取付け位置を円周方向に調整することで、照明手段の位置を適正位置にすることができる。したがって、電動工具で照明を使用する際、電動工具の高さ位置に係わらず、先端工具の影が邪魔にならないようになる。
また、先端部材がスピンドルと共に回転するチャックに取付けられる場合には、照明手段は先端工具の軸心回りに回転しながら前方を照らすため、先端工具の影が生じない。
【０００８】
請求項２の発明によると、先端部材は、軸方向に移動可能な状態で前記ハウジングに装着されており、先端工具を周方向から覆う筒体と、前記ハウジングに対して軸方向定位置で軸心回りに回転可能に構成されて、ネジ作用により前記筒体を軸方向に移動させる操作リングとを有し、前記操作リングに前記照明手段及び電気回路とが装着されていることを特徴とする。
このため、先端部材をハウジングから取外さずに、操作リングを回転させることで先端工具の影が邪魔にならないようにできる。
請求項３の発明によると、操作リングには、その操作リングに対して軸心回りに回転可能に構成されたリング状ケースが取付けられており、前記リング状ケースに前記照明手段、及び電気回路が収納されていることを特徴とする。
このため、照明手段の位置調整が容易になる。
【０００９】
請求項４の発明によると、チャックがハウジングから前方に突出した状態で配置されており、そのチャックの外周に前記先端部材が取付けられる構成であることを特徴とする。
このため、暗所でのみチャックに先端部材を取付け、屋外等の明るい場所で前記先端部材を外すことが可能になる。
【発明の効果】
【００１０】
本発明によると、電動工具で照明を使用する際、先端工具の影が邪魔にならなくなり、作業効率が向上する。
【発明を実施するための最良の形態】
【００１１】
（実施形態１）
以下、図１から図５に基づいて、本発明の実施形態１に係る電動工具の説明を行なう。本実施形態に係る電動工具はスクリュードライバであり、図１にそのスクリュードライバの先端部分の縦断面図等が示されている。図２は、図１のII-II矢視図であり、図３は前記スクリュードライバのライトユニットの電気回路図である。また、図４、図５は変更例に係るスクリュードライバの先端部分の縦断面図等である。
【００１２】
＜スクリュードライバ１０の概要について＞
スクリュードライバ１０は、図１（Ａ）に示すように、モータ１１の出力歯車１１ｗと噛合する駆動歯車１２を備えている。駆動歯車１２は、中間軸１５に対して回転自在な状態で同軸に取付けられている。中間軸１５は、スピンドル１４と同軸に保持されており、前記スピンドル１４が中間軸に対して軸方向に移動可能に構成されている。前記駆動歯車１２の前面側には、放射状のクラッチ歯１６ｗを備える駆動側クラッチ部材１６が取付けられている。
前記スピンドル１４は、軸心回りに回転可能、かつ軸方向に一定距離だけ移動可能な状態で略筒状のハウジング１０ｈに収納されており、そのスピンドル１４の先端部分に先端工具５が挿入接続されるチャック１４ｃが形成されている。また、スピンドル１４の後端部は円錐台状に拡開しており、そのスピンドル１４の後端面に前記駆動側クラッチ部材１６のクラッチ歯１６ｗと噛合可能な従動側クラッチ歯１４ｗが形成されている。さらに、スピンドル１４の後端面と駆動側クラッチ部材１６との間には、両者１４，１６を軸方向に離隔させるように付勢されたコイルスプリング１７が駆動側クラッチ部材１６等に対して相対回転可能な状態で装着されている。
上記構成により、先端工具５に対して軸方向から押圧力が加わり、コイルスプリング１７がバネ力に抗して押し縮められると、駆動側クラッチ部材１６のクラッチ歯１６ｗとスピンドル１４の従動側クラッチ歯１４ｗとが噛合して、駆動歯車１２の回転力がスピンドル１４に伝達される。逆に、先端工具５に押圧力が加わらない場合には、コイルスプリング１７のバネ力で前記クラッチ歯１６ｗと従動側クラッチ歯１４ｗとが離れるため、駆動歯車１２の回転力はスピンドル１４に伝達されない。
【００１３】
ハウジング１０ｈの先端部には、先端工具５を周方向から覆う位置決め用の筒体２１が軸方向に移動可能な状態で同軸に装着されている。筒体２１は、被加工部材（図示省略）に対するネジ（図示省略）のねじ込み深さを一定にするための部材であり、先端側から順番に小径のガイド部２１ｅ、円錐台状の拡開部２１ｔ、及びハウジング１０ｈに被せられる大径部２１ｒを備えている。そして、筒体２１の大径部２１ｒの内壁面とハウジング１０ｈの先端外周面との間に、両者２１，１０ｈを軸方向に相対移動可能な状態で連結する溝（図示省略）と突条（図示省略）とが形成されている。
また、筒体２１の大径部２１ｒの外周面後端部には、図１（Ｂ）に示すように、雄ネジ２１ｘが形成されており、その雄ネジ２１ｘに筒状の操作リング２５の雌ネジ２５ｘが螺合している。操作リング２５は、ハウジング１０ｈに対して軸方向定位置で回転することにより、ネジ作用により筒体２１をハウジング１０ｈに対して軸方向に移動させる部材である。操作リング２５は、図１（Ａ）に示すように、筒体２１の大径部２１ｒと、その大径部２１ｒの後方に位置するハウジング１０ｈの外周面とを覆えるように構成されている。操作リング２５の内周面には、雌ネジ２５ｘの後方に円周方向に延びるリング溝２５ｍが形成されている。一方、ハウジング１０ｈの外周面には、図１（Ｃ）に示すように、筒体２１の後方位置に弾性力で一定寸法だけ拡径するように構成された止め輪１０ｗがリング溝１０ｕに収納された状態で装着されている。
【００１４】
上記構成により、筒体２１の雄ネジ２１ｘと操作リング２５の雌ネジ２５ｘとを螺合させた状態で、筒体２１と操作リング２５とをハウジング１０ｈに対して前方から被せ、さらに後方に押圧することで、操作リング２５のリング溝２５ｍにハウジング１０ｈの止め輪１０ｗを弾性力で嵌め込むことができる。この状態で、操作リング２５はハウジング１０ｈに対して軸方向定位置で回転可能になる。そして、前記操作リング２５を回転させることにより、筒体２１をネジ作用でハウジング１０ｈに対して前進後退させることができる。また、操作リング２５を止め輪１０ｗのバネ力に抗して前方に引っ張ることで、前記操作リング２５及び筒体２１をハウジングから取外すことができる。
即ち、前記筒体２１及び操作リング２５が本発明の先端部材に相当する。
【００１５】
＜ライトユニット３０について＞
操作リング２５の先端部分には、その操作リング２５に対して軸心回りに回転自在な状態でライトユニット３０が装着されている。ライトユニット３０は、図１、図２に示すように、リング状ケース３１と、ＬＥＤ３２と、電気回路３５とから構成されている。
リング状ケース３１の前面には、図２に示すように、ケース内空間と連通する開口３１ｚが円周方向に一箇所形成されており、その開口３１ｚにレンズ３１ｅが嵌め込まれている。前記リング状ケース３１内には、レンズ３１ｅの後方位置にＬＥＤ３２が基板に取付けられた状態で収納されている。ここで、前記ＬＥＤ３２は、先端工具５の突出端を指向するように位置決めされている。また、リング状ケース３１の前面には、レンズ３１ｅに対して約90°左回転した位置にＬＥＤ３２の点灯、消灯に使用されるスイッチ３６の操作部が突出する開口３１ｈが形成されている。さらに、リング状ケース３１には、前記レンズ３１ｅと中心を挟んで反対側の位置にボタン電池３５ｐを収納する蓋付の電池収納部３１ｙが設けられている。
【００１６】
リング状ケース３１の内周面先端部分には、図１（Ｂ）に示すように、半径方向内側に突出する内フランジ部３１ｆが形成されており、その内フランジ部３１ｆが操作リング２５の先端面２５ｆを軸方向から面接触状態で押さえられるように構成されている。また、リング状ケース３１の内周面後端部分には、図１（Ｂ）に示すように、半径方向内側に突出する鉤部３１ｋが形成されている。そして、リング状ケース３１の内フランジ部３１ｆが操作リング２５の先端面２５ｆを押さえた状態で、そのリング状ケース３１の鉤部３１ｋが操作リング２５の係合溝２５ｕに掛けられるように構成されている。ここで、前記係合溝２５ｕは、円周方向に延びるように操作リング２５の外周面にリング状に形成されている。このため、前記リング状ケース３１は、操作リング２５の先端面２５ｆ及び係合溝２５ｕに沿って、その操作リング２５に対して軸心回りに相対回転可能となる。
電気回路３５は、ＬＥＤ３２を点灯させるための回路であり、図３に示すように、前記ＬＥＤ３２に対して直列に接続されるスイッチ３６と、ボタン電池３５ｐと、電流調整用の抵抗３５ｒ、及び配線３５ｃとから構成されている。そして、前記抵抗３５ｒがＬＥＤ３２と共に基板に取付けられており、配線３５ｃがリング状ケース３１の内部に敷設されている。
即ち、前記ＬＥＤ３２が本発明の照明手段に相当する。
【００１７】
＜ライトユニット３０の取り扱いについて＞
スクリュードライバ１０を使用する際には、被加工部材に対するネジのねじ込み深さを調整するため、操作リング２５を回動させてハウジング１０ｈ（先端工具５）に対する筒体２１の軸方向位置を調整する。次に、ＬＥＤ３２を点灯させ、ねじ込み作業時に先端工具５の影が邪魔にならないように、リング状ケース３１を操作リング２５に対して回転させる。この状態で、ねじ込み作業を行うことで、先端工具５の影が作業の邪魔にならなくなる。
【００１８】
＜本実施形態に係るスクリュードライバ１０の長所について＞
上記したように、リング状ケース３１を操作リング２５に対して回動させることで、容易にＬＥＤ３２の位置を適正位置に調整することができる。このため、スクリュードライバ１０で照明を使用する際、先端工具５の影を作業の邪魔にならない位置にまで移動させることができる。即ち、スクリュードライバ１０でねじ込み作業を行う際に、先端工具５の影が邪魔にならなくなり、作業性が向上する。
【００１９】
＜変更例＞
ここで、本発明は上記実施形態に限定されるものではなく、本発明の要旨を逸脱しない範囲における変更が可能である。例えば、本実施形態では、操作リング２５に対して回転可能なリング状ケース３１にＬＥＤ３２及び電気回路３５を取付ける例を示したが、図４に示すように、操作リング２５にＬＥＤ３２及び電気回路３５を直接取付けることも可能である。即ち、操作リング２５とリング状ケース３１とを一体成形することも可能である。この場合、ＬＥＤ３２の位置が適正でない場合には、操作リング２５を止め輪１０ｗのバネ力に抗して前方に引っ張ることで、その操作リング２５を、一旦、ハウジング１０ｈから外し、ＬＥＤ３２の位置が適正になる位置で操作リング２５を再びハウジング１０ｈに装着する。
また、本実施形態では、電気回路３５のスイッチ３６の操作部をリング状ケース３１の前面に配置する例を示したが、図５に示すように、リング状ケース３１の側面、あるいは操作リング２５の側面に設けることも可能である。
【００２０】
（実施形態２）
以下、図６（Ａ）（Ｂ）、図７に基づいて本発明の実施形態１に係る電動工具の説明を行なう。本実施形態に係る電動工具は電動ドリル等であり、図６（Ａ）（Ｂ）にチャックの側面図、模式縦断面図が示されている。また、図７は、図６（Ａ）のVII-VII矢視図である。
チャック４０は、ドリルビット等の先端工具（図示省略）を把持する三本の把持爪４１と、それらの把持爪４１をネジ作用で前進、あるいは後退させて、爪間隔を狭め、あるいは拡開させる操作リング４５とを備えている。各々の把持爪４１は、図６（Ｂ）に示すように、スピンドル１４の後方から先端中心にかけて斜めに形成された各々のガイド穴１４ｈに収納されており、そのガイド穴１４ｈに沿って前進後退可能に形成されている。さらに、把持爪４１の外周面には雄ネジ４１ｍが形成されており、前記雄ネジ４１ｍにリング状部材４３の雌ネジ４３ｗが螺合されている。リング状部材４３はスピンドル１４に対して軸方向定位置で軸心回りに回転できるように取付けられており、そのリング状部材４３がスピンドル１４を覆う操作リング４５に固定されている。このため、操作リング４５をスピンドル１４に対して軸心回りに回転させることで、ネジ作用により把持爪４１を前進後退させて、爪間隔を狭め、あるいは拡開させることが可能になる。
【００２１】
操作リング４５の外周面には、ＬＥＤ５３等を備える先端部材５０が取付けられる。
先端部材５０は、ＬＥＤ５３、スイッチ５４、ボタン電池５５等が収納される角筒状のケース部５１と、ケース部５１を操作リング４５に保持する円弧状爪部５２とから構成されている。
円弧状爪部５２は、図７に示すように、操作リング４５の先端外周面に自身の弾性力で半径方向外側から嵌合する一部開放形のリング状部材であり、ケース部５１の先端内周側（図中下側）に形成されている。
前記ケース部５１には、図７に示すように、その前面に開口５１ｈが形成されており、その開口５１ｈにレンズ５１ｅが嵌め込まれている。そして、ケース部５１内のレンズ５１ｅ後方位置にＬＥＤ５３が基板に取付けられた状態で収納されている。また、ケース部５１の外周面にはスイッチ５４の操作部が突出する開口（図示省略）が形成されている。さらに、ケース部５１の後部にはボタン電池５５が収納される電池室が設けられている。そして、ケース部５１の電池室の内周側（図中下側）に、操作リング４５の後端面に形成されたリング溝４５ｍに掛けられる係合爪５１ｋが形成されている。
【００２２】
上記構成により、暗所でのみチャック４０の操作リング４５に先端部材５０を取付け、屋外等の明るい場所で先端部材５０を外すことが可能になる。
また、先端部材５０をチャック４０に装着した状態では、作業中に先端部材５０がチャック４０と共に回転するため、ＬＥＤ５３は先端工具の軸心回りに回転しながら前方を照らすようになる。このため、前記先端工具の影が生じることはない。
なお、実施形態１、実施形態２では、ＬＥＤ３２，５３を円周方向に一箇所設ける例を示したが、円周方向に複数箇所設けることも可能である。
【図面の簡単な説明】
【００２３】
【図１】本発明の実施形態１に係るスクリュードライバの先端部分の縦断面図（Ａ図）、Ａ図のＢ部拡大図（Ｂ図）及び止め輪部分の拡大図（Ｃ図）である。
【図２】図１のII-II矢視図である。
【図３】スクリュードライバのライトユニットの電気回路図である。
【図４】変更例に係るスクリュードライバの先端部分の縦断面図である。
【図５】図４のV-V矢視図である。
【図６】本発明の実施形態２に係る電動工具のチャックの側面図（Ａ図）、チャックの模式縦断面図（Ｂ図）である。
【図７】図６（Ａ）のVII-VII矢視図である。
【図８】従来の電動工具を使用した作業状況を表す模式図である。
【符号の説明】
【００２４】
５・・・・・先端工具
１０ｈ・・・ハウジング
１４・・・・スピンドル
１４ｃ ・・・チャック
２１・・・・筒体（先端部材）
２５・・・・操作リング（先端部材）
３０・・・・ライトユニット
３１・・・・リング状ケース
３２・・・・ＬＥＤ（照明手段）
３５・・・・電気回路
４０・・・・チャック
５０・・・・先端部材
５３・・・・ＬＥＤ（照明手段）
【図１】
2009214238.tif 000003
【図２】
2009214238.tif 000004
【図３】
2009214238.tif 000005
【図４】
2009214238.tif 000006
【図５】
2009214238.tif 000007
【図６】
2009214238.tif 000008
【図７】
2009214238.tif 000009
【図８】
2009214238.tif 000010